(57)【要約】【課題】この発明は、植物を支持するのに適した枝部突出形態と、その他の取り扱いに適した枝部没入形態とに変形させることができる栽培用支柱の提供を目的とする。【解決手段】栽培用支柱１の内側支柱３を、外側支柱２の内部から引き出される方向へ摺動して、内側支柱３の枝部３ａが外側支柱２の外周面及び孔部２ａより外側に突出された枝部突出形態に変形するので、栽培用支柱１を、植物の支持に使用することができる。一方、内側支柱３を、外側支柱２の内部に収納される方向へ摺動して、内側支柱３の枝部３ａが外側支柱２の外周面より内側で孔部２ａ内に没入された枝部没入形態に変形する。つまり、外側支柱２の外周面上に何等突出するものがなくなるので、栽培用支柱１を、柱状又は筒状の支柱として取り扱うことができる。【選択図】図２
2011030519.tif 000002
【特許請求の範囲】
【請求項１】
植物の近傍に立てられる支柱と、該支柱の外面に突出される複数の枝部とを備えた栽培用支柱であって、
前記支柱を、中空に形成された筒状の外側支柱と、該外側支柱の内部に対し長手方向と平行する方向に向けて摺動自在に挿入された内側支柱とで構成し、
前記外側支柱の外面に、前記内側支柱の外面に取り付けられた枝部を突出するための孔部を形成し、
前記内側支柱の外面に、前記外側支柱の外面及び孔部より外側に向けて突出される枝部を取り付け、
前記外側支柱と内側支柱とを、前記内側支柱の枝部が前記外側支柱の外面及び孔部より外側に突出される位置と、前記内側支柱の枝部が前記外側支柱の外面より内側で孔部内に没入される位置とに相対移動自在に設けた
栽培用支柱。
【請求項２】
前記外側支柱の孔部と前記内側支柱の枝部を、該外側支柱及び内側支柱の外面に対し該孔部及び枝部の相互が対応する間隔に隔てて複数配列した
請求項１に記載の栽培用支柱。
【請求項３】
前記外側支柱の孔部を、前記内側支柱の枝部が斜め上方に向けて突出される角度に傾斜した
請求項１又は２に記載の栽培用支柱。
【請求項４】
前記外側支柱の孔部が形成された内面に、該孔部全体が覆われるようにネットを取り付け、
前記ネットの網目を、前記枝部の貫通が許容される大きさ及び形状に拡縮自在に形成した
請求項１〜３のいずれか一つに記載の栽培用支柱。
【請求項５】
前記外側支柱と前記内側支柱の対向面間に、該外側支柱及び内側支柱の相互を、該内側支柱の枝部が外側支柱の外面より外側に突出された摺動位置に規制するための突出位置規制手段が設けられた
請求項１〜４のいずれか一つに記載の栽培用支柱。
【請求項６】
前記外側支柱及び／又は前記内側支柱に、前記外側支柱及び内側支柱の相互を、該外側支柱の孔部内端に対し内側支柱の枝部先端が挿入された摺動位置に規制するための収納位置規制手段が設けられた
請求項１〜５のいずれか一つに記載の栽培用支柱。
【発明の詳細な説明】
【技術分野】
【０００１】
この発明は、例えば果樹、野菜、花卉等の植物を支持する際に用いられる栽培用支柱に関する。
【背景技術】
【０００２】
従来、前記栽培用支柱としては、例えば支柱の外周に、複数本の枝が外方に向けて固定されたＣ字状の取付け体を取り付ける特許文献１の栽培用支柱と、支柱の表面に、棒状の枝が複数本固定された特許文献２の支柱の枝のついた栽培用支柱とがある。
【０００３】
しかし、特許文献１の栽培用支柱を使用する場合、支柱の外周に、枝が固定された取付け体を適度な間隔に隔てて取り付けなければならず、支柱と枝の組み付け作業に手間及び時間が掛かる。また、栽培用支柱を保管しておく場合、取付け体を支柱から分離した際に、取付け体を紛失するか、取付け体を固定するための固着具を紛失しやすい。さらに、栽培用支柱の組み付け時に、上下の取付け体を、枝の向きが上下逆向きとなるように取り付けてしまうことがある。
【０００４】
また、特許文献２の栽培用支柱は、支柱の表面に棒状の枝が固定されているので、運搬時、陳列時、販売時等において、支柱の枝同士が互いに当接するか、枝が衣服や包装に引っ掛かりやすく、邪魔である。また、枝が折れるか、曲がってしまうことがあり、園芸用の支柱として目的及び効果が得られなくなる。
【先行技術文献】
【特許文献】
【０００５】
【特許文献１】実開昭５２−１５７４３４号公報
【特許文献２】実開平６−９４３７号公報
【発明の概要】
【発明が解決しようとする課題】
【０００６】
この発明は、植物を支持するのに適した枝部突出形態と、その他の取り扱いに適した枝部没入形態とに変形させることができる栽培用支柱を提供することを目的とする。
【課題を解決するための手段】
【０００７】
この発明は、植物の近傍に立てられる支柱と、該支柱の外面に突出される複数の枝部とを備えた栽培用支柱であって、前記支柱を、中空に形成された筒状の外側支柱と、該外側支柱の内部に対し長手方向と平行する方向に向けて摺動自在に挿入された内側支柱とで構成し、前記外側支柱の外面に、前記内側支柱の外面に取り付けられた枝部を突出するための孔部を形成し、前記内側支柱の外面に、前記外側支柱の外面及び孔部より外側に向けて突出される枝部を取り付け、前記外側支柱と内側支柱とを、前記内側支柱の枝部が前記外側支柱の外面及び孔部より外側に突出される位置と、前記内側支柱の枝部が前記外側支柱の外面より内側で孔部内に没入される位置とに相対移動自在に設けた栽培用支柱であることを特徴とする。
【０００８】
この発明の態様として、前記外側支柱の孔部と前記内側支柱の枝部を、該外側支柱及び内側支柱の外面に対し該孔部及び枝部の相互が対応する間隔に隔てて複数配列することができる。
【０００９】
また、この発明の態様として、前記外側支柱の孔部を、前記内側支柱の枝部が斜め上方に向けて突出される角度に傾斜することができる。
【００１０】
また、この発明の態様として、前記外側支柱の孔部が形成された内面に、該孔部全体が覆われるようにネットを取り付け、前記ネットの網目を、前記枝部の貫通が許容される大きさ及び形状に拡縮自在に形成することができる。
【００１１】
また、この発明の態様として、前記外側支柱と前記内側支柱の対向面間に、該外側支柱及び内側支柱の相互を、該内側支柱の枝部が外側支柱の外面より外側に突出された摺動位置に規制するための突出位置規制手段が設けることができる。
【００１２】
また、この発明の態様として、前記外側支柱及び／又は前記内側支柱に、前記外側支柱及び内側支柱の相互を、該外側支柱の孔部内端に対し内側支柱の枝部先端が挿入された摺動位置に規制するための収納位置規制手段が設けることができる。
【００１３】
前記突出位置規制手段は、例えば外側支柱及び内側支柱の対向面に設けられる突出部、凸部及び凹部、差込み孔及び規制ピン、係止爪及び係止孔等で構成することができる。また、収納位置規制手段は、例えば内側支柱の把持部、外側支柱のストッパ等で構成することができる。
【発明の効果】
【００１４】
この発明によれば、栽培用支柱を、内側支柱の枝部が外側支柱の外面より外側に突出された枝部突出形態に変形させて植物の近傍に立てるので、外側支柱の外面に突出された枝部に植物のつるが巻き付きやすくなる。また、植物の幹や枝を支持するので、風雨による倒伏や折損を防止して、植物の生育を助けることができる。
【００１５】
一方、栽培用支柱を、内側支柱の枝部が外側支柱の外面より内側に没入された枝部没入形態に変形させると、外側支柱の外面より外側に何等突出するものがなく、柱状又は筒状の支柱として取り扱うことができる。これにより、例えば運搬、陳列、販売、保管等の取り扱い時において、枝部同士が互いに当接するか、衣服や包装等に枝部が引っ掛かることがない。また、枝部が折れたり、曲がったりする心配がなく、栽培用支柱の取り扱いが簡単且つ容易に行える。また、栽培用支柱の嵩が低くなるので、取り扱い時に要するスペースが小さくて済む。
【図面の簡単な説明】
【００１６】
【図１】枝部が突出された枝部突出形態を示す栽培用支柱の斜視図。
【図２】枝部が没入された枝部没入形態を示す栽培用支柱の斜視図。
【図３】枝部が取り付けられた部分を示す拡大縦断側面図。
【図４】枝部が突出される動作を示す説明図。
【図５】枝部が没入される動作を示す説明図。
【図６】位置規制手段による規制状態を示す栽培用支柱の下端側拡大斜視図。
【図７】位置規制手段の他の例を示す栽培用支柱の下端側拡大斜視図。
【図８】位置規制手段のその他の例を示す栽培用支柱の下端側拡大斜視図。
【図９】孔部がネットで覆われた他の例を示す栽培用支柱の斜視図。
【図１０】孔部及び枝部の他の配置例を示す斜視図。
【図１１】枝部の他の取り付け例を示す拡大縦断側面図。
【図１２】枝部のその他の取り付け例を示す拡大縦断側面図。
【図１３】位置規制手段のその他の例を示す栽培用支柱の斜視図。
【発明を実施するための形態】
【実施例】
【００１７】
図１は、内側支柱３の枝部３ａが突出された状態を示す栽培用支柱１の斜視図、図２は、内側支柱３の枝部３ａが没入された状態を示す栽培用支柱１の斜視図、図３は、内側支柱３の枝部３ａが取り付けられた部分を示す拡大側面図、図４は、内側支柱３の枝部３ａが突出される動作を示す説明図、図５は、内側支柱３の枝部３ａが没入される動作を示す説明図、図６は、位置規制手段５による規制状態を示す栽培用支柱１の下端側拡大斜視図である。
【００１８】
本実施例の栽培用支柱１は、中空に形成された筒状の外側支柱２と、該外側支柱２の内部に対し長手方向と平行する方向に向けて摺動自在に挿入された内側支柱３とで構成されている。また、内側支柱３は、外側支柱２の内径より小径に形成されており、外側支柱２の内部に対し長手方向と平行する方向に向けて摺動自在に挿入されている。
【００１９】
外側支柱２及び内側支柱３は、中空に形成された金属製のパイプで構成されるとともに、略同一の長さに形成されている。また、外側支柱２及び内側支柱３の外周面と、該内側支柱３の外周面に取り付けられた後述する枝部３ａの外周面は、被覆部材の一例であるプラスチックＰで被覆及び保護されている。
【００２０】
なお、外側支柱２の孔部２ａより外側に突出される枝部３ａの突出側外周面のみを、前記プラスチックＰで被覆してもよい。また、プラスチックＰの代わりに、合成ゴムを被覆してもよい。
【００２１】
実施例の外側支柱２は、２５ｍｍ〜３５ｍｍの範囲に含まれる外径（直径）に形成されているが、用途に応じて、２５ｍｍ以下或いは３５ｍｍ以上の外径に変更してもよい。また、内側支柱３は、外側支柱２の外径から肉厚分を減算した径に形成されている。
【００２２】
外側支柱２の外周面には、図４にも示すように、後述する内側支柱３の枝部３ａを突出するための孔部２ａが該外側支柱２の内側から外側に向けて径方向に貫通して形成されている。
【００２３】
孔部２ａは、外側支柱２の外周面に沿って内側支柱３の枝部３ａと対応する上下間隔及び左右間隔に隔てて千鳥状に配列されている。  
また、孔部２ａは、外側支柱２の長手方向と平行する軸芯を中心として、該外側支柱２の外周面に対し周方向に等間隔或いは等角度に隔てて配置されている。
【００２４】
外側支柱２の一方の対向外周面には、同一の孔径及び形状に形成された孔部２ａが形成されている。また、一方の対向外周面に形成された一対の孔部２ａ間を結ぶ線と直交する他方の対向外周面には、前記孔部２ａと同一の孔径及び形状に形成された孔部２ａが形成されている。
【００２５】
一方の対向外周面に形成された孔部２ａと、他方の対向外周面に形成された孔部２ａは、上下互い違いとなる高さに配置されるとともに、外側支柱２の長手方向に対し上下等間隔に隔てて配列されている。
【００２６】
孔部２ａは、内側支柱３の枝部３ａが斜め上方に向けて挿通が許容される孔径及び形状に形成されるとともに、該内側支柱３の枝部３ａが斜め上方に向けて突出される角度に傾斜されている。つまり、内側支柱３の枝部３ａは、外側支柱２の孔部２ａによって斜め上方に向けて突出された角度に規制される。
【００２７】
孔部２ａの内径は、内側支柱３の枝部３ａの外径より大径に形成されている。また、孔部２ａの断面形状は、枝部３ａの径方向の断面形状と対応して丸形状に形成されている。
【００２８】
なお、枝部３ａの挿通が許容される形状であれば、孔部２ａ及び枝部３ａの突出方向と直交する断面形状を、例えば楕円形、星形状、四角形、六角形、多角形等の孔形状に形成してもよい。
【００２９】
外側支柱２の孔部２ａより外側に突出される内側支柱３の枝部３ａの突出寸法は、植物を支持するのに適した寸法、例えば植物のつるが巻き付きやすい寸法に設定されている。
【００３０】
外側支柱２の下端側は、植物が植えられた近傍の土壌に対して差し込みが容易に行えるような形状に形成されている。つまり、外側支柱２の下端側は、該外側支柱２の下端側から先端側に向けて徐々に小径又は先細となる形状に形成されている。
【００３１】
内側支柱３の外周面には、図４にも示すように、前記外側支柱２の孔部２ａより外側に向けて斜め上方に突出される枝部３ａが取り付けられている。また、枝部３ａは、内側支柱３の外周面に沿って外側支柱２の孔部２ａと対応する上下間隔及び左右間隔に隔てて千鳥状に配列されている。
【００３２】
枝部３ａは、枝状に形成された金属棒の外周面をプラスチックＰで被覆及び保護したものである。また、枝部３ａの外観は、根元側から先端側に向けて徐々に小径又は細くなる形状に形成されている。なお、枝部３ａを、根元側から先端側に向けて同一径に形成してもよい。
【００３３】
枝部３ａの根元側は、例えばピンや支軸等の枢着部材によって内側支柱３の外周面に形成された枢着部３ｂに対し上下回動自在に枢着されている。  
つまり、枝部３ａは、枢着部３ｂを中心として、内側支柱３の長手方向と平行する方向に対し上下回動自在に取り付けられている。  
枝部３ａは、内側支柱３の長手方向と平行する軸芯を中心として、該内側支柱３の外周面に対し周方向に等間隔或いは等角度に隔てて４本取り付けられている。
【００３４】
内側支柱３の一方の対向外周面には、同一の長さ及び形状に形成された枝部３ａが取り付けられている。また、一方の対向外周面に取り付けられた一対の枝部３ａ間を結ぶ線と直交する他方の対向外周面には、同一の長さ及び形状に形成された枝部３ａが取り付けられている。
【００３５】
一方の対向外周面に取り付けられた枝部３ａと、他方の対向外周面に取り付けられた枝部３ａは、上下互い違いとなる高さに配置されるとともに、内側支柱３の長手方向に対し上下等間隔に隔てて配列されている。
【００３６】
実施例の内側支柱３には、中空に形成された金属製のパイプが用いられているが、中実に形成された金属製の棒を用いてもよい。
【００３７】
外側支柱２の上端側開口部より上方に突出された内側支柱３の上端側には、該内側支柱３を外側支柱２の内部から引き出される方向へ摺動するための把持部３ｃが形成されている。
【００３８】
外側支柱２の下端側内部には、内側支柱３を、外側支柱２の孔部２ａ内端に対し内側支柱３の枝部３ａ先端が係止された収納位置に停止又は規制するためのストッパ４が、収納位置規制手段として取り付けられている（図６参照）。
【００３９】
つまり、内側支柱３を、外側支柱２の内部に収納される方向へ摺動すれば、内側支柱３の枝部３ａが外側支柱２の孔部２ａに沿って徐々に内側へ引き込まれるとともに、内側支柱３の下端側が、外側支柱２の下端側内部に固定されたストッパ４に当接される。
【００４０】
これにより、栽培用支柱１が、内側支柱３の枝部３ａが外側支柱２の外周面より内側で孔部２ａ内に没入された枝部没入形態（図２参照）に変形されるとともに、内側支柱３が、外側支柱２の孔部２ａ内端に対し内側支柱３の枝部３ａ先端が係止された収納位置に停止される。また、内側支柱３の上端側が、外側支柱２の上端側より上方に突出した位置に規制される。
【００４１】
また、外側支柱２の孔部２ａ内端に、内側支柱３の枝部３ａ先端が係止されることにより、外側支柱２と内側支柱３が周方向に回転しようとするのを阻止することができる。  
これにより、孔部２ａと枝部３ａの位置が周方向に変位することがなく、枝部３ａを孔部２ａから突出する動作と、枝部３ａを孔部２ａに没入する動作が確実に行える。
【００４２】
また、外側支柱２の孔部２ａ内端に対し内側支柱３の枝部３ａ先端が係止されているので、外側支柱２の上端側より上方に突出された内側支柱３の上端側を手で把持して、収納位置に停止された内側支柱３を、外側支柱２の内部から引き出される方向へ摺動すれば、内側支柱３の枝部３ａの先端側が外側支柱２の外周面及び孔部２ａより外側に向けて確実に突出される。
【００４３】
なお、ストッパ４の代わりに、外側支柱２の上端に内側支柱３の把持部３ｃを当接して、内側支柱３を収納位置に停止又は規制してもよい。  
また、外側支柱２と内側支柱３の対向周面間に、該外側支柱２と内側支柱３が周方向に回転しようとするのを防止するための回り止めを設けてもよい。
【００４４】
外側支柱２と内側支柱３の下端側対向面間には、図６に示すように、外側支柱２及び内側支柱３の相互を、内側支柱３の枝部３ａが外側支柱２の外周面及び孔部２ａより外側に突出された摺動位置に規制するための位置規制手段５が、突出位置規制手段として設けられている。
【００４５】
位置規制手段５は、図６に示すように、外側支柱２の下端側内周面と内側支柱３の下端側外周面の間に設けられており、外側支柱２の下端側内周面に形成された環状の突出部６と、内側支柱３の下端側外周面に形成された環状の突出部７とで構成されている。
【００４６】
外側支柱２の突出部６は、該外側支柱２の下端側内周面に沿って環状に形成されている。また、突出部６は、内側支柱３の外径より大径で、後述する突出部７の外径より小径に形成されている。
【００４７】
つまり、後述する突出部７の外周縁部に対し当接される大きさ及び形状に形成されている。また、突出部６の小径側内周面は、内側支柱３の外周面に近接されているので、外側支柱２と内側支柱３の軸芯が径方向に変位しようとするのを防止することができる。
【００４８】
内側支柱３の突出部７は、該内側支柱３の下端側内周面に沿って環状に形成されている。また、突出部７は、前記外側支柱２の内径より小径で、前記突出部６の内径より大径に形成されている。つまり、前記突出部６の内周縁部に対し当接される大きさ及び形状に形成されている。
【００４９】
位置規制手段５による規制方法を説明すると、内側支柱３を、外側支柱２の内部から引き出される方向へ摺動する際に、外側支柱２の突出部６を乗り越えさせて、該外側支柱２の突出部６より上方へ内側支柱３の突出部７を移動すれば、内側支柱３の枝部３ａが外側支柱２の外周面及び孔部２ａより外側に突出され、外側支柱２の突出部６上に内側支柱３の突出部７が係止される。
【００５０】
これにより、栽培用支柱１が、内側支柱３の枝部３ａが外側支柱２の外周面及び孔部２ａより外側に突出された枝部突出形態（図１参照）に変形されるとともに、内側支柱３が、該内側支柱３の枝部３ａが外側支柱２の外周面及び孔部２ａより外側に突出された突出位置に規制される。
【００５１】
内側支柱３を、外側支柱２の内部に収納される方向へ摺動する際に、外側支柱２の突出部６を乗り越えさせて、該外側支柱２の突出部６より下方へ内側支柱３の突出部７を移動すれば、位置規制手段５による位置規制が解除され、内側支柱３の枝部３ａが外側支柱２の外周面より内側で孔部２ａ内に没入される。
【００５２】
なお、外側支柱２の突出部６を、該外側支柱２の下端側内周面に沿って長手方向に対し等間隔に隔てて複数配列してもよい。  
内側支柱３を、外側支柱２の内部から引き出される方向へ摺動する際に、外側支柱２の突出部６…上に対し係止される位置に、内側支柱３の突出部７を順次移動すれば、内側支柱３の枝部３ａを、外側支柱２の外周面及び孔部２ａより外側に向けて段階的に突出することができる。
【００５３】
また、内側支柱３の突出部７を、該内側支柱３の下端側外周面に沿って長手方向に対し等間隔に隔てて複数配列してもよく、前記と略同等の作用及び効果を奏することができる。
【００５４】
図示実施例は前記の如く構成するものにして、以下、栽培用支柱１の使用方法を説明する。
【００５５】
先ず、図２に示す内側支柱３の枝部３ａが外側支柱２の外周面より内側で孔部２ａ内に没入された状態の栽培用支柱１を、鉢や土壌に植えられた植物の近傍に立てる場合、外側支柱２の上端側より上方に突出された内側支柱３の把持部３ｃを手で把持して、内側支柱３を、外側支柱２の内部から引き出される矢印方向へ摺動させる（図４のａ，ｂ，ｃ参照）。
【００５６】
内側支柱３を外側支柱２の内部から引き出す動作によって、内側支柱３の枝部３ａが外側支柱２の孔部２ａに沿って徐々に外側へ引き出される（図４のａ，ｂ参照）。
【００５７】
内側支柱３の枝部３ａ先端は、外側支柱２の孔部２ａ内端に係止されているので、内側支柱３を、外側支柱２の内部から引き出される矢印方向へ摺動すれば、内側支柱３の枝部３ａが外側支柱２の外周面及び孔部２ａより外側に向けて斜め上向きに突出される（図４のｃ参照）。
【００５８】
また、外側支柱２の突出部６を乗り越えさせて、外側支柱２の突出部６上に内側支柱３の突出部７を係止すれば、内側支柱３が、該内側支柱３の枝部３ａが外側支柱２の外周面及び孔部２ａより外側に突出された突出位置に規制される（図１、図６参照）。
【００５９】
これにより、内側支柱３の全枝部３ａが外側支柱２の全孔部２ａより外側に突出された枝部突出形態を維持することができる。  
この後、図１に示す栽培用支柱１を、外側支柱２の下端側が下向きとなるように保持して、植物が植えられた土壌に突き刺せば、該植物の近傍に立てることができる。
【００６０】
つまり、栽培用支柱１を、内側支柱３の枝部３ａが外側支柱２の外周面及び孔部２ａより外側に突出された枝部突出形態（図１参照）に変形させて植物の近傍に立てれば、外側支柱２の外周面及び孔部２ａより外側に突出された内側支柱３の枝部３ａに植物のつるが巻き付きやすくなる。また、栽培用支柱１によって植物の幹や枝を支持するので、風雨による倒伏や折損を防止して、植物の生育を助けることができる。
【００６１】
次に、栽培用支柱１の不要時には、外側支柱２の上端側より上方に突出された内側支柱３の把持部３ｃを手で押して、内側支柱３を、外側支柱２の内部に収納される矢印方向へ摺動させる（図５のｄ，ｅ，ｆ参照）。
【００６２】
内側支柱３を外側支柱２の内部に収納する動作によって、内側支柱３の枝部３ａが外側支柱２の孔部２ａに沿って徐々に内側へ引き込まれる（図５のｄ，ｅ参照）。
【００６３】
内側支柱３を、外側支柱２内のストッパ４に当接する位置まで摺動させた時点で、内側支柱３の枝部３ａが外側支柱２の外周面より内側で孔部２ａ内に没入されるので（図５のｆ参照）、外側支柱２の外周面より外側に何等突出するものがなくなる（図２参照）。
【００６４】
つまり、栽培用支柱１を、内側支柱３の枝部３ａが外側支柱２の外周面より内側で孔部２ａ内に没入された枝部没入状態（図２参照）に変形させることにより、柱状又は筒状の支柱として取り扱うことができる。
【００６５】
これにより、例えば運搬、陳列、販売、保管等の取り扱い時において、枝部３ａ同士が互いに当接するか、枝部３ａが衣服や包装等に引っ掛かることがない。また、枝部３ａが折れたり、曲がったりする心配がなく、栽培用支柱１の取り扱いが簡単且つ容易に行える。
【００６６】
また、内側支柱３の枝部３ａが外側支柱２の外周面より内側で孔部２ａ内に没入された分だけ、栽培用支柱１の嵩が低くなるので、前記取り扱い時に要するスペースが小さくて済む。
【００６７】
また、内側支柱３を、外側支柱２の孔部２ａと内側支柱３の枢着部３ｂとが対向する位置に摺動すれば、内側支柱３の枝部３ａが、外側支柱２の孔部２ａより外側に向けて水平方向に突出される。
【００６８】
図７は、位置規制手段５の他の例を示す栽培用支柱１の下端側拡大斜視図である。  
本例の外側支柱２の下端側内周面には、該外側支柱２の下端側内周面に沿って環状の凸部６Ａが形成されている。また、内側支柱３の下端側内周面には、該内側支柱３の下端側内周面に沿って前記凸部６Ａに係合される環状の凹部７Ａが形成されている。
【００６９】
つまり、内側支柱３を、該内側支柱３の枝部３ａが外側支柱２の外周面及び孔部２ａより外側に突出される突出位置に摺動した際、外側支柱２の凸部６Ａに内側支柱３の凹部７Ａが係合され、内側支柱３が、該内側支柱３の枝部３ａが外側支柱２の外周面及び孔部２ａより外側に突出された突出位置に規制される。
【００７０】
内側支柱３を、外側支柱２の内部に収納される方向へ摺動すれば、凸部６Ａと凹部７Ａの係合が解除され、内側支柱３の枝部３ａを外側支柱２の外周面より内側で孔部２ａ内に没入することができ、前記実施例と略同等の作用及び効果を奏することができる。
【００７１】
図８は、位置規制手段５のその他の例を示す栽培用支柱１の下端側拡大斜視図である。  
本例の外側支柱２の下端側外周面には、規制ピン８を差し込むための差込み孔９が外側支柱２の長手方向と直交して径方向に貫通して形成されている。
【００７２】
つまり、内側支柱３を、該内側支柱３の枝部３ａが外側支柱２の外周面及び孔部２ａより外側に突出される突出位置に摺動した際、外側支柱２の差込み孔９に規制ピン８を差し込む。
【００７３】
内側支柱３が、外側支柱２の内部に収納される方向に摺動する際に、内側支柱３の下端部が規制ピン８に当接されるので、内側支柱３を、内側支柱３の枝部３ａが外側支柱２の外周面及び孔部２ａより外側に突出された突出位置に停止することができる。  
これにより、内側支柱３の全枝部３ａが外側支柱２の全孔部２ａより外側に突出された枝部突出形態を維持することができる。
【００７４】
規制ピン８を、外側支柱２の差込み孔９から抜き取れば、該規制ピン８による位置規制が解除されるので、内側支柱３を、外側支柱２の内部に収納される方向へ摺動すれば、内側支柱３の枝部３ａを外側支柱２の外周面より内側で孔部２ａ内に没入することができ、前記実施例と略同等の作用及び効果を奏することができる。
【００７５】
また、外側支柱２の差込み孔９を、該外側支柱２の下端側内周面に沿って長手方向に対し等間隔に隔てて複数配列してもよい。
【００７６】
つまり、内側支柱３を、外側支柱２の内部から引き出される方向へ摺動した際に、外側支柱２の差込み孔９…から選択した一つに差込み孔９に規制ピン８に差し込んで、内側支柱３の下端部を規制ピン８に当接すれば、外側支柱２の外周面及び孔部２ａより外側に突出される内側支柱３の枝部３ａの突出寸法を段階的に調節することができる。  
なお、規制ピン８の代わりに、例えばボルト、ネジ等の固定部材を用いてもよい。
【００７７】
図９の（ｇ）、（ｈ）は、外側支柱２の孔部２ａがネット１０で覆われた栽培用支柱１の他の例を示す斜視図である。  
本例のネット１０は、柔軟性を有する合成繊維製の糸で編まれており、外側支柱２の孔部２ａ全体が覆われる大きさ及び形状に形成されている。また、ネット１０の網目は、枝部３ａの貫通が許容される大きさ及び形状に拡縮自在に編まれている。
【００７８】
つまり、ネット１０は、外側支柱２の孔部２ａが形成された内周面に対し該孔部２ａの全体が覆われるように取り付けられている。  
内側支柱３を、外側支柱２の内部から引き出される方向へ摺動すれば、内側支柱３の枝部３ａが、外側支柱２の孔部２ａに取り付けられたネット１０を貫通して該外側支柱２の外周面及び孔部２ａより外側に突出（図９の（ｇ）参照）される。
【００７９】
また、内側支柱３を、外側支柱２の内部に収納される方向へ摺動すれば、内側支柱３の枝部３ａが、外側支柱２の外周面より内側で孔部２ａ内に没入（図９の（ｈ）参照）されるので、前記実施例と略同等の作用及び効果を奏することができる。
【００８０】
内側支柱３の枝部３ａが、外側支柱２の外周面より内側で孔部２ａ内に没入された際に、外側支柱２の孔部２ａと内側支柱３の枝部３ａとの間に形成される隙間が、外側支柱２の孔部２ａに取り付けられたネット１０によって閉塞されるので、外側支柱２の内部に、例えば土や小石、泥土、病害虫等が侵入しようとするのを防止することができる。
【００８１】
また、内側支柱３の枝部３ａが、外側支柱２の孔部２ａに取り付けられたネット１０より内側に没入されるように設けてもよく、外側支柱２の孔部２ａをネット１０で閉塞することができる。
【００８２】
図１０は、外側支柱２の孔部２ａ及び内側支柱３の枝部３ａの他の配置例を示す斜視図である。
【００８３】
本例の外側支柱２の孔部２ａは、該外側支柱２の同一外周面に対し周方向に等間隔或いは等角度に隔てて４個配置されている。また、内側支柱３の枝部３ａは、該内側支柱３の同一外周面に対し周方向に等間隔或いは等角度に隔てて４本取り付けられている。
【００８４】
つまり、内側支柱３を、外側支柱２の内部から引き出される方向へ摺動すれば、内側支柱３の同一外周面に取り付けられた枝部３ａが、外側支柱２の同一外周面に配置された孔部２ａ及び外側支柱２の外周面より外側に突出される。  
また、内側支柱３を、外側支柱２の内部に収納される方向へ摺動すれば、内側支柱３の同一外周面に取り付けられた枝部３ａが、外側支柱２の同一外周面に配置された孔部２ａ内で該外側支柱２の外周面より内側に没入されるので、前記実施例と略同等の作用及び効果を奏することができる。
【００８５】
図１１は、内側支柱３の外周面に取り付けられる枝部３ａの他の取り付け例を示す拡大縦断側面図である。
【００８６】
本例の内側支柱３の枝部３ａは、植物を支持するのに適した硬さを有するプラスチックＰｂで形成されており、内側支柱３の外周面に被覆されたプラスチックＰａと、全体がプラスチックＰｂで形成された枝部３ａの根元側とが、柔軟性を有するプラスチック製の連結体１１で一体的に連結されている。
【００８７】
つまり、枝部３ａは、連結体１１を中心として、外側支柱２の外周面及び孔部２ａより外側に突出される枝部突出形態と、該外周面より内側で孔部２ａ内に没入される枝部没入形態とに出没動作されるので、前記実施例と略同等の作用及び効果を奏することができる。
【００８８】
図１２は、内側支柱３の外周面に取り付けられる枝部３ａのその他の取り付け例を示す拡大縦断側面図である。
【００８９】
本例の内側支柱３の枝部３ａは、内側支柱３の外周面に突設された枢着部１２に対し該枝部３ａの根元側が連結されている。
【００９０】
つまり、枝部３ａは、枢着部１２を中心として、外側支柱２の外周面及び孔部２ａより外側に突出される枝部突出形態と、該外周面より内側で孔部２ａ内に没入される枝部没入形態とに出没動作されるので、前記実施例と略同等の作用及び効果を奏することができる。
【００９１】
図１３は、位置規制手段５のその他の例を示す栽培用支柱１の斜視図である。  
本例の外側支柱２の下端側外周面には、後述する係止爪１３を係止するための縦長の係止孔１４が外側支柱２の下端側外周面に沿って長手方向に２箇所形成されている。
【００９２】
一方、内側支柱３の下端側外周面には、前記係止孔１４に係止される係止爪１３が径方向に対し変位自在に取り付けられている。また、係止爪１３は、前記係止孔１４に対し係止される方向に図示しないバネで付勢されている。
【００９３】
つまり、内側支柱３を、外側支柱２の内部から引き出される方向へ摺動して、外側支柱２の上段側係止孔１４に内側支柱３の係止爪１３を係止すれば、内側支柱３の枝部３ａが最大寸法に突出された突出位置に停止される（図中の実線参照）。
【００９４】
また、外側支柱２の下段側係止孔１４に内側支柱３の係止爪１３を係止すれば、内側支柱３の枝部３ａが全長の略１／２寸法に突出された突出位置に停止される（図中の仮想線参照）。これにより、内側支柱３の枝部３ａの突出寸法を２段階に調節することができる。
【００９５】
係止爪１３を、外側支柱２の係止孔１４より内側に図示しないバネに抗して押し込めば、該係止孔１４に対する係止が解除される。これにより、係止爪１３を係止孔１４より内側へ押し込んだまま、内側支柱３を、外側支柱２の内部に収納される方向へ摺動して、内側支柱３の枝部３ａを外側支柱２の外周面より内側で孔部２ａ内に没入することができ、前記実施例と略同等の作用及び効果を奏することができる。  
また、外側支柱２の係止孔１４を、該外側支柱２の下端側内周面に沿って長手方向に対し等間隔に隔てて３箇所、４箇所等の複数段配列してもよく、内側支柱３の枝部３ａの突出寸法を段階的に調節することができる。  
なお、係止爪１３と係止孔１４は、雨傘に用いられる玉留の構造と略同一を有している。
【００９６】
この発明の構成と、前記実施形態との対応において、  
この発明の突出位置規制手段は、位置規制手段５に対応し、  
以下同様に、  
収納位置規制手段は、把持部３ｃと、ストッパ４に対応するも、  
この発明は、上述の実施形態の構成のみに限定されるものではなく、請求項に示される技術思想に基づいて応用することができ、多くの実施の形態を得ることができる。
【００９７】
前記外側支柱２の孔部２ａを、内側支柱３の枝部３ａが径方向に向けて水平に突出される角度及び形状に形成してもよい。
【符号の説明】
【００９８】
１…栽培用支柱
２…外側支柱
２ａ…孔部
３…内側支柱
３ａ…枝部
３ｂ…枢着部
４…ストッパ
５…位置規制手段
６，７…突出部
６Ａ…凸部
７Ａ…凹部
８…規制ピン
９…差込み孔
１０…ネット
１１…連結体
１２…枢着部
１３…係止爪
１４…係止孔
【図１】
2011030519.tif 000003
【図２】
2011030519.tif 000004
【図３】
2011030519.tif 000005
【図４】
2011030519.tif 000006
【図５】
2011030519.tif 000007
【図６】
2011030519.tif 000008
【図７】
2011030519.tif 000009
【図８】
2011030519.tif 000010
【図９】
2011030519.tif 000011
【図１０】
2011030519.tif 000012
【図１１】
2011030519.tif 000013
【図１２】
2011030519.tif 000014
【図１３】
2011030519.tif 000015